(57)【要約】【課題】既存の略はさみ型の手動利器に簡単に着脱出来る、手動利器用スケールを提供する。【解決手段】板体１から成る短尺なスケールＡの片端部に磁石２を設け、ワイヤストリッパーＢのヒンジ部により回動自在に軸支された一方の把持部２１ｂの外側面に、前記短尺なスケールＡの目盛が直角に延出するように前記短尺なスケールＡを前記磁石２の吸着力により取り付け自在とした。また、前記短尺なスケールＡの一端を折り曲げて略Ｌ字型の板体１とし、当該板体１の略Ｌ字型の屈曲部の外側面に磁石２を固着した。【選択図】図１
0003176081.tif 000002
【実用新案登録請求の範囲】
【請求項１】
板体から成る短尺なスケールの両端又は片端部に磁石を設け、略はさみ型の手動利器のヒンジ部により回動自在に軸支された把持部又は刃部の外側面に、前記短尺なスケールの目盛が直角に延出するように前記短尺なスケールを前記磁石の吸着力により取り付け自在としたことを特徴とする、略はさみ型の手動利器用スケール。
【請求項２】
前記短尺なスケールの一端を折り曲げて略Ｌ字型の板体とし、当該板体の略Ｌ字型の屈曲部の外側面に磁石を固着したことを特徴とする、前記請求項１に記載の略はさみ型の手動利器用スケール。
【請求項３】
前記短尺なスケールに取り付ける磁石は平板状とし、当該短尺なスケールの一端面に磁石の端面を合わせ、前記短尺のスケールの裏面に沿って設けたことを特徴とする、前記請求項１に記載の略はさみ型の手動利器用スケール。
【請求項４】
前記短尺なスケールに取り付ける磁石はブロック状とし、当該短尺なスケールの一端面に磁石の端面を合わせ、前記短尺のスケールの裏面に沿って設けたことを特徴とする、前記請求項１に記載の略はさみ型の手動利器用スケール。
【考案の詳細な説明】
【技術分野】
【０００１】
この考案は、２つの把持部又は刃部をヒンジ部により回動自在に軸支した略はさみ型の手動利器、例えば、ニッパー、ペンチ、はさみ等、また、特に、配線の絶縁被覆剥ぎ取り用のワイヤストリッパーや配線を端子に圧着させる圧着工具などの把持部等に取り付けて使用する略はさみ型の手動利器用スケールに関するものである。
【背景技術】
【０００２】
従来、屋内配線工事等において、差込形コネクタを用いた配線同士を接続する場合やコンセント・スイッチ等の配線器具、端子台、配線用遮断器等に配線を接続する場合、まず、配線の絶縁被覆の剥ぎ取り作業が行なわれている。
【０００３】
実際の作業においては、ワイヤストリッパーや差込形コネクタ等に付いているスケールに配線の一端を当てて寸法を確認し、当該配線の絶縁被覆を剥ぎ取っているが、作業工数が多かったり、作業が煩雑な場合、一々配線をスケールに当てて寸法を確認して絶縁被覆を剥ぎ取る作業では作業効率が悪く、また、時間もかかる。
【０００４】
一方、スケールを用いず、目見当等で作業を行うと絶縁被覆の剥ぎ取りが適切に行われず芯線導体部と差込形コネクタとの電気的・機械的接続不良等を起こすことが心配される。つまり、図１０に示す様に、前記差込型コネクタ４２においては、絶縁被覆４１ｂの剥ぎ取り部分が長いと配線４１の芯線導体部４１ａが差込形コネクタ４２からはみ出すことで導体部が露出して絶縁等の不具合が発生したり、絶縁被覆４１ｂの剥ぎ取り部分が短いと挿入不足となって接続不良となる。この様に絶縁被覆の剥ぎ取り部分の長さが不適切な場合、差し込んだ絶縁被覆４１ｂを剥ぎ取った部分を一旦引抜き、当該個所を切断して、最初からやり直しとなる。そのため、手間と時間がかかる。
【０００５】
また、図１１に示す様に、配線４１に接続端子４３を取り付ける際、絶縁被覆４１ｂを剥ぎ取った後、一定の長さのＬ１の芯線導体部４１ａを露出し、当該芯線導体部４１ａを接続端子４３に差し込んで、残った絶縁被覆４１ｂの先端と接続端子４３の後端との間に１〜２ｍｍの間隙（Ｌ２）を設けて露出するようにして圧着工具（図外）により端子をかしめて配線４１ａを接続端子４３に圧着しなければならず、適切な長さの絶縁被覆４１ａの剥ぎ取り及び接続端子４３の取り付けが要求されている。
【０００６】
この様な中、特許文献１に示す様なものがある。これは、例えば、ニッパー等の切断工具において、線材にスケールで測った切断位置の目印を付けることなく、線材を所定の長さ寸法に能率良く切断出来ると言うものである。
【０００７】
【特許文献１】実開昭６３−１５８２７１号公報
【考案の開示】
【考案が解決しようとする課題】
【０００８】
しかしながら、前記特許文献１に記載されたものは、回転軸中心部に設けられた軸穴に対し、摺動自在に貫通するスケールを持ったネジ軸と、当該ネジ軸と螺合し、軸方向移動が固定され、前記回転軸を中心に回転するナットと、前記ネジ軸の一端側に設けられた寸法出し用ストッパとを備え、前記ナットを回してストッパの位置を変えるもので、構造が複雑で用途も限られたものである。それ故、既存のはさみ型の手動利器に簡単に着脱が出来ると言うものではない。
【０００９】
この考案は、これらの点に鑑みて為されたもので、既存の略はさみ型の手動利器に簡単に着脱出来る、手動利器用スケールを提供して前記課題を解決するものである。
【課題を解決するための手段】
【００１０】
請求項１の考案は、板体から成る短尺なスケールの両端又は片端部に磁石を設け、略はさみ型の手動利器のヒンジ部により回動自在に軸支された把持部又は刃部の外側面に、前記短尺なスケールの目盛が直角に延出するように前記短尺なスケールを前記磁石の吸着力により取り付け自在とした略はさみ型の手動利器用スケールとした。
【００１１】
請求項２の考案は、前記短尺なスケールの一端を折り曲げて略Ｌ字型の板体とし、当該板体の略Ｌ字型の屈曲部の外側面に磁石を固着した前記請求項１に記載の略はさみ型の手動利器用スケールとした。
【００１２】
請求項３の考案は、前記短尺なスケールに取り付ける磁石は平板状とし、当該短尺なスケールの一端面に磁石の端面を合わせ、前記短尺のスケールの裏面に沿って設けた前記請求項１に記載の略はさみ型の手動利器用スケールとした。
【００１３】
請求項４の考案は、前記短尺なスケールに取り付ける磁石はブロック状とし、当該短尺なスケールの一端面に磁石の端面を合わせ、前記短尺のスケールの裏面に沿って設けた前記請求項１に記載の略はさみ型の手動利器用スケールとした。
【考案の効果】
【００１４】
請求項１、２、３及び４の各考案によれば、板体から成る短尺なスケールの裏面の両端又は片端部に磁石を設け、略はさみ型の手動利器のヒンジ部により回動自在に軸支された把持部又は刃部の外側面に、前記短尺なスケールの目盛が直角に延出するように前記短尺なスケールを前記磁石の吸着力により取り付け自在としたので、このスケールを取り付ければ、被処理物を容易に一定の長さで切断、剥ぎ取り、圧着等出来る。また、配線の絶縁被覆の剥ぎ取り等において、絶縁被覆の剥ぎ取りが長すぎたり、短かすぎたりすることが無く、芯線導体部と差込形コネクタとの絶縁不良を起こすことが確実に減少される。
【００１５】
また、被処理物を一定の長さで切断等作業が容易かつ確実に早く出来るので、作業効率が確実にアップするものである。さらに、既存の略はさみ型の手動利器に簡単に取り付けて使用出来るので、極めて使い勝手が良く、配線工事の他、一般の工具や家庭用の手動利器等に使用出来る汎用性の高いものである。
【００１６】
さらに、磁石によって、前記スケールを手動利器に取り付けることとしたので、着脱が極めて簡単かつ確実に出来るので、この面からも極めて使い勝手が良く、汎用性が高いものである。
【００１７】
また、このスケールの裏面の両端に磁石を設けたものは、手動利器の上下何れかの把持部又は刃部にスケールを取り付ける際、使用者が居る位置と数字や目盛の向きが逆向きにならないように最適な向きで取り付けることが出来、寸法を見誤るなどと言うことが減少し、さらに、使い勝手が良いものである。
【図面の簡単な説明】
【００１８】
【図１】この考案の実施例１の手動利器用スケールをワイヤストリッパーの把持部に取り付けて配線の一端の絶縁被覆を剥がしつつある状態を示す説明斜視図である。
【図２】この考案の実施例１の手動利器用スケールの斜視図である。
【図３】この考案の実施例１の手動利器用スケールを圧着工具の把持部に取り付けて配線の芯線導体部に接続端子を圧着している状態を示す一部斜視図である。
【図４】この考案の実施例１の手動利器用スケールをペンチの刃部に取り付けて配線の芯線導体部を切断しつつある状態を示す説明斜視図である。
【図５】この考案の実施例１の手動利器用スケールをはさみの刃部に取り付けた状態の斜視図である。
【図６】この考案の実施例１の手動利器用スケールをはさみの刃部に取り付け、紙を小幅の短冊状に切断している状態を示す一部斜視図である。
【図７】この考案の実施例２の手動利器用スケールを斜め下方から見た状態の説明斜視図である。
【図８】この考案の実施例２の手動利器用スケールをはさみの刃部に取り付けた状態の一部斜視図である。
【図９】この考案の実施例３の手動利器用スケールを斜め下方から見た状態の説明斜視図である。
【図１０】従来の、先端の絶縁被覆を剥ぎ取った配線を差込型コネクタに挿入する状態を示す説明図である。
【図１１】従来の、配線に接続端子を取り付ける際、絶縁被覆を剥ぎ取った後、残った絶縁被覆の先端と接続端子の後端との間に１〜２ｍｍの間隙を設けなければならないことを示す説明図である。
【考案を実施するための形態】
【００１９】
板体から成る短尺なスケールの両端又は片端部に磁石を設け、略はさみ型の手動利器のヒンジ部により回動自在に軸支された把持部又は刃部の外側面に、前記短尺なスケールの目盛が直角に延出するように前記短尺なスケールを前記磁石の吸着力により取り付け自在とした。
【００２０】
このスケールを略はさみ型の手動利器に取り付ければ、被処理物を容易に一定の長さで切断、剥ぎ取り、圧着等出来る。
【実施例１】
【００２１】
以下、この考案の実施例１の手動利器用スケールＡを図に基づいて説明する。この実施例１の手動利器用スケールＡ（以下、単に「スケールＡ」と言う。）は、図２に示す様に、細幅で一端を折り曲げた略Ｌ字型の金属製の短尺な板体１から成る。この板体１の長い方の片１ａ（以下、「長片１ａ」と言う）の表面に１ｍｍ毎に目盛を設けた金属製の薄板１ｃを固着し、短い方の片１ｂ（以下、単に「短片１ｂ」と言う）の中央に開口を設け、この短片１ｂの外側面に、中央に開口を設けた四角形状の板体から成る磁石２を当てて、短片１ｂの開口と磁石２の開口の位置を合わせ、この開口に表側からねじ３を通し、裏側で小ナット（図示省略）を螺着して当該磁石２を短片１ｂに固着している。
【００２２】
また、前記長片１ａに目盛を設ける際は、前記磁石２の厚さを計算に入れて目盛を付けている。
【００２３】
次に、前記スケールＡの用い方を説明する。図１に示す様に、ここでは、配線２３の絶縁被覆２３ｂを剥がすワイヤストリッパーＢに使用する。このワイヤストリッパーＢは、金属製の２つの把持部２１ａ、２１ｂの両側の内側縁に、配線２３を挟む３個の半円形状の切欠き２２を並列して夫々設けたものである。このワイヤストリッパーＢの把手部２４を握った際に、２つの把持部２１ａ、２１ｂの内側面が相互に当接して、前記３個の半円形状は３個の円形状となり、各切欠き２２の内側縁の刃が配線２３の絶縁被覆２３ｂに食い込む構成となっている。この把持部２１ａ、２１ｂうち、下側の把持部２１ｂの右側面に、前記磁石２によって前記スケールＡを直角に延出させて取り付けている。
【００２４】
その後、配線２３の一端を前記スケールＡの目盛の位置に合わせる。そして、この配線Ｃの一端をワイヤストリッパーＢの切欠き２２の１つにあてがい、把手部２４を握って、この配線Ｃの絶縁被覆２３ｂに切り込みを入れ、配線２３を長手方向に引張り、絶縁被覆２３ｂを剥ぎ取る。作業が終われば、このスケールＡを取り外す。
【００２５】
また、図３に示す様に、配線２３を接続端子２６に圧着させる圧着工具ＣにこのスケールＡを取り付けて使用することも出来る。この図３では、スケールＡを圧着工具Ｇの下側の把持部２５ｂの左側面に取り付けており、把手部（図示省略）を握って配線２３の芯線導体部２３ａに接続端子２６を圧着している状態を示している。
【００２６】
また、図４に示す様に、ペンチＤにこのスケールＡを取り付けて使用することも出来る。この図４では、スケールＡをペンチＤの下側の刃部２７ｂの左側面に取り付けており、把手部２８を握って配線２３の芯線導体部２３ａを所定幅で切断している状態を示している。また、図５に示す様に、このスケールＡを文房具のはさみＥに使用することももちろん出来る。図６では、工作の教材を作成するために、スケールＡをはさみＥの上側の刃部２９ａの右側面に取り付け、把手部３０を閉じて紙３１を小幅の短冊状に切断している状態を示している。
【実施例２】
【００２７】
続いて、実施例２のスケールＦを図に基づいて説明する。ここでは、前記実施例１のスケールＡと相違する構成のみ説明する。
【００２８】
この実施例２のスケールＦでは、図７に示す様に、細幅の長方形状の金属製の板体４の一端の裏面に沿って、四角形状で板状の磁石５を接着剤によって固着して設けている。この際、板体４の一端面に磁石５の一端面を合わせる。また、この実施例２のスケールＦの表面の目盛を設ける際には、磁石５はこのスケールＦの一端縁から突出したものではないので、前記実施例１のスケールＡの様に突出した磁石５の厚さを計算に入れる必要は無い。
【００２９】
次に、前記スケールＦの用い方を説明する。図８に示す様に、ここでは、はさみＥに使用する。このはさみＥの上側の刃部２９ａの右側面に、前記磁石５によって前記スケールＦを取り付ける。
【００３０】
また、この板体４に取り付ける磁石５の形状は、図示のものに限らず、厚みのあるブロック状などでも良い。ただ、板体４の一端面と磁石５の端面が同一面となるようにしなければならない。
【実施例３】
【００３１】
さらに、実施例３のスケールＧを図に基づいて説明する。ここでは、前記実施例１、２の各スケールＡ、Ｆと相違する構成のみ説明する。
【００３２】
この実施例３のスケールＧでは、図９に示す様に、細幅の長方形状の金属製の板体６の両端の裏面に磁石５を夫々設けている。ここでは、板体６の両端の裏面に沿って、四角形状で板状の磁石５を接着剤によって固着して設けている。この実施例３のスケールＧでは、板体６の両端に磁石５を夫々設けたので、手動利器の作用部である上下何れかの把持部又は刃部に取り付ける際、数字や目盛が使用者の位置と逆方向にならないように最適な向きで取り付けることが出来る。これにより、寸法を見誤るなどと言うことが減少する。
【００３３】
また、この実施例３でも、形状としても四角形状の板状に限らず、ブロック状などでも良い（図示省略）。また、前記実施例１と同様の構成により磁石２を両端に設けるようにしても良い。
【００３４】
前記実施例では、略はさみ型の手動利器として、ワイヤストリッパーＢ、圧着工具Ｃ、ペンチＤ、はさみＥ、ニッパーなどをあげているが、本願発明のスケールＡ、Ｆ、Ｇを取り付けて効果が得られるものなら、もちろん他の手動利器に使用しても良い。
【符号の説明】
【００３５】
Ａ    スケール          Ｂ    ワイヤストリッパー
Ｃ    圧着工具          Ｄ    ペンチ            Ｅ    はさみ
Ｆ    スケール          Ｇ    スケール
１    板体              １ａ  長片              １ｂ  短片
１ｃ  薄板              ２    磁石              ３    ねじ
４    板体              ５    磁石              ６    板体
２１ａ  把持部          ２１ｂ  把持部          ２２    切欠き
２３    配線            ２３ａ  芯線導体部      ２３ｂ  絶縁被覆
２４    把手部          ２５ｂ  把持部          ２６    接続端子
２７ｂ  刃部            ２８    把手部          ２９ａ  刃部
３０    把手部          ３１    紙
４１    配線            ４１ａ  芯線導体部      ４１ｂ  絶縁被覆
４２    差込形コネクタ  ４３    接続端子
【図１】
0003176081.tif 000003
【図２】
0003176081.tif 000004
【図３】
0003176081.tif 000005
【図４】
0003176081.tif 000006
【図５】
0003176081.tif 000007
【図６】
0003176081.tif 000008
【図７】
0003176081.tif 000009
【図８】
0003176081.tif 000010
【図９】
0003176081.tif 000011
【図１０】
0003176081.tif 000012
【図１１】
0003176081.tif 000013